(57)【要約】【課題】夜用の厚型の生理用ナプキンを股間部にフィットさせ易いと共に位置ずれを防止でき、しかも股間部への食い込みを軽減し、全体的に締め付け感のない穿き心地のよいショーツを提供する。【解決手段】前身頃と、後身頃と、前記前身頃と前記後身頃との間に橋渡しされた形態で設けられたクロッチ部と、を有し、前記クロッチ部が生理用ナプキンの装着部とされたショーツにおいて、前記腰天回りに後身頃と前身頃に亘るウエストホールド部を設け、前記後身頃のほぼ中央領域に微伸縮部を設け、前記ウエストホールド部を除いた前記臀部引き上げ部から前記前身頃全域に亘って良伸縮部を設け、前身頃のほぼ中央領域に固定部を設け、前記クロッチ部のほぼ中央領域に股下引き上げ部を設け、前記微伸縮部の縦方向の引張荷重が前記良伸縮部の縦方向の引張荷重よりも大きいものとするショーツ。【選択図】    図２
2004254860.tif 000002
【特許請求の範囲】
【請求項１】
伸縮性の良好な部材で構成された良伸縮部と、伸縮性が微少な部材で構成された微伸縮部と、で構成され、
前身頃と、後身頃と、前記前身頃と前記後身頃との間に橋渡しされた形態で設けられたクロッチ部と、前記前身頃の上縁部と前記後身頃の上縁部とで形成された腰天回り部と、前記前身頃の両側縁と前記後身頃の両側縁との下方に形成される一対の脚開口部と、を有し、
前記後身頃のほぼ中央領域において、前記クロッチ部から前記腰天回り部に向けて設けられた帯状領域に前記微伸縮部が割り当てられているショーツ。
【請求項２】
前記微伸縮部は、縦方向の伸張係数が、前記良伸縮部の縦方向の伸張係数よりも大きいものであることを特徴とする請求項１に記載のショーツ。
【請求項３】
前身頃と、後身頃と、前記前身頃と前記後身頃との間に橋渡しされた形態で設けられたクロッチ部と、前記前身頃の上縁部と前記後身頃との上縁部とで形成された腰天回り部と、前記前身頃の両側縁と前記後身頃との両側縁の下方に形成される一対の脚開口部と、を有し、前記クロッチ部が生理用ナプキンの装着部とされたショーツにおいて、
前記クロッチ部のほぼ中央領域に前記前身頃から前記後身頃に亘って設けられたナプキン引き上げ部を備え、
該ナプキン引き上げ部の縦方向の伸張係数が、前記クロッチ部を構成する股下布の縦方向の伸張係数よりも大きいことを特徴とするショーツ。
【請求項４】
前身頃と、後身頃と、前記前身頃と前記後身頃との間に橋渡しされた形態で設けられたクロッチ部と、前記前身頃の上縁部と前記後身頃との上縁部で形成された腰天回り部と、前記前身頃の両側縁と前記後身頃との両側縁の下方に形成される一対の脚開口部と、を有し、前記クロッチ部が生理用ナプキンの装着部とされ、伸縮性の良好な部材で構成された良伸縮部の中に微少な伸縮性の部材で構成された微伸縮部とが設けられたショーツにおいて、
前記微伸縮部は、後身頃のほぼ中央領域に前記クロッチ部から前記腰天回り部に向けて設けられ、
前記クロッチ部のほぼ中央領域に前記前身頃から前記後身頃に亘ってナプキン引き上げ部が設けられ、
前記微伸縮部と前記ナプキン引き上げ部とが前記クロッチ部の前記後身頃側の端部で縫合され、
前記微伸縮部の縦方向の伸張係数が、前記良伸縮部の縦方向の伸張係数よりも大きく、前記ナプキン引き上げ部の縦方向の伸張係数が、前記クロッチ部を構成する前記股下布の縦方向の伸張係数よりも大きいことを特徴とするショーツ。
【請求項５】
前記クロッチ部は、前記前身頃と前記後身頃とに縫合された前記股下布で構成されるものであることを特徴とする請求項１から４いずれか記載のショーツ。
【請求項６】
前記ショーツは、前記腰天回り部近傍で前記後身頃と前記前身頃に亘って設けられたウエストホールド部を更に備えることを特徴とする請求項１から５いずれか記載のショーツ。
【請求項７】
前記ショーツは、前記前身頃のほぼ中央領域に前記クロッチ部と前記ウエストホールド部と前記良伸縮部とに該良伸縮部の外側で縫合された固定部を備えることを特徴とする請求項１から６いずれか記載のショーツ。
【請求項８】
前記微伸縮部は、縦方向において非伸縮性の素材で構成されたものであることを特徴とする請求項１、２、または４から７いずれか記載のショーツ。
【請求項９】
前記ナプキン引き上げ部は、縦方向において非伸縮性の素材で構成されたものであることを特徴とする請求項３から８いずれか記載のショーツ。
【請求項１０】
前記ナプキン引き上げ部は、その縦方向の伸張係数が前記微伸縮部の縦方向の伸張係数よりも小さいことを特徴とする請求項３から９いずれか記載のショーツ。
【請求項１１】
前記ナプキン引き上げ部は、前記前身頃側から前記後身頃側にかけて、その幅が狭くなることを特徴とする請求項３から１０いずれか記載のショーツ。
【請求項１２】
前記ナプキン引き上げ部の幅は、２０ｍｍから６０ｍｍであることを特徴とする請求項１１に記載のショーツ。
【請求項１３】
前記固定部の縦方向の伸張係数が、前記良伸縮部の縦方向の伸張係数よりも大きいことを特徴とする請求項７から１２いずれか記載のショーツ。
【請求項１４】
前記微伸縮部の腰天回り部側の上端部は、前記ウエストホールド部とほぼＶ字状に縫合されていることを特徴とする請求項１、２、または４から１３いずれか記載のショーツ。
【請求項１５】
前記固定部の腰天回り部側の上端部は、前記ウエストホールド部とほぼＶ字状に縫合されていることを特徴とする請求項６から１３いずれか記載のショーツ。
【請求項１６】
前記クロッチ部の内側には、前後端部が該クロッチ部に縫合され、その中間部が縫合されていないナプキン装着布を備えることを特徴とする請求項１から１５いずれか記載のショーツ。
【請求項１７】
前記ナプキン装着布の長さは、前記クロッチ部を構成する前記股下布の長さと同等かそれ以上であることを特徴とする請求項１６に記載のショーツ。
【請求項１８】
前記良伸縮部と前記微伸縮部との境界において、前記良伸縮部から前記微伸縮部に亘って伸縮性が漸減していくことを特徴とする請求項１、２、または４から１７いずれか記載のショーツ。
【請求項１９】
前記良伸縮部と前記微伸縮部との境界において、前記良伸縮部から前記微伸縮部に亘って伸縮性が不連続的に変化するものであることを特徴とする請求項１、２または４から１７いずれか記載のショーツ。
【請求項２０】
前記ショーツを立体形状にしたときの、前記クロッチ部から前記腰天回り部までの股上丈と、前記脚開口部から前記腰天回り部までの最短部の身丈との寸法比は、前記股上丈の１００に対して前記身丈が８０〜２００であることを特徴とする請求項１から１９いずれか記載のショーツ。
【請求項２１】
前記微伸縮部、および前記ナプキン引き上げ部、前記ウエストホールド部は、前記良伸縮部と異なる色調や光沢を呈するものであることを特徴とする請求項１から２０いずれか記載のショーツ。
【請求項２２】
着用方法を示す表示が前記前身頃または前記後身頃に設けられたことを特徴とする請求項１から２１いずれか記載のショーツ。
【請求項２３】
前記表示は、前記微伸縮部の上方の前記腰天回り部の近傍に設けられたものであることを特徴とする請求項２２に記載のショーツ。
【発明の詳細な説明】
【０００１】
【発明の属する技術分野】
本発明は、クロッチ部に生理用ナプキンを装着するショーツに係り、特に夜用の厚型の生理用ナプキンをしっかり保持して位置ずれを防止でき、しかも身体へのフィット性に優れると共に締め付け違和感が生じ難いショーツに関する。
【０００２】
【従来の技術】
ショーツは、クロッチ部に装着された生理用ナプキンを身体の股間部に動くことなく確実に保持でき、股間部での生理用ナプキンの位置ずれを防止することができ、しかも股間部への食い込みを軽減し、穿き心地のよいものが要求される。
【０００３】
この種のショーツとして、前身頃と後身頃の中央領域に引張荷重の大きいセクションを設け、前身頃と後身頃との間に置かれ前身頃と後身頃とを接合する股領域と一対の弾性脚開口とを有する衣服であって、股領域に長手方向伸張制御部材を有し、この長手方向伸張制御部材からウエストバンドに伸びる伸張制御部材を前身頃および後身頃に備えたものが特許文献１に開示されている。また、本発明者らは、特許文献２に開示のショーツを提供している。このショーツは、生理用ナプキンを股間部にフィットさせ易く、股間部への食い込みを軽減し、はき心地の良いショーツを提供する事を目的としているものであり、腰天回り部にウエストバンドが足操り回りにレッグバンドが設けられ、クロッチ部が生理用ナプキンの装着部とされたショーツで、ショーツを立体形状にした時のクロッチ部から腰天までの股上丈と、足操りから腰天までの最短部の身丈との寸法比は、股上丈の１００に対して前記身丈が８０〜２００であり、後身頃にはクロッチ部から腰天にかけて吊り上げ弾性部材が設けられていることを特徴とするものである。
【０００４】
【特許文献１】
特表２００１−５２２９５８号公報
【特許文献２】
特開２００２−６６０号公報
【０００５】
【発明が解決しようとする課題】
ところが、特許文献１にあっては、伸張制御部材によって股領域に置かれた生理用ナプキンを身体に密接に接触させることができるが、この伸張制御部材は、幅が公報の図にあるように細い線として存在しているので、力が線状の１点に集中し、着用時に身体へのくい込みが発生したり、また生理用ナプキンを中央部で折れ曲げて山型としてしまい、その折れ曲がった頂点が身体へ違和感を与える恐れがある。
【０００６】
また、前身頃と後身頃とを縫合して２つの弾性脚開口を形成するようになっているので縫合部が股下中央部分に一対の脚開口間に向く幅方向に存在するようになる。このため、ショーツに生理用ナプキンを装着する場合、生理用ナプキンを安定的に保持する土台が存在しなくなり、生理用ナプキンが細くヨレたり、生理用ナプキンの粘着部がショーツ本体から剥がれたりすることにより漏れを生じさせる可能性が高いという不都合があった。
【０００７】
また、特許文献２にあっては、後身頃に設けられている吊り上げ弾性部材が縦方向に伸びて弾性収縮力を発揮するが、この弾性収縮力は後身頃の中心部においてほぼ脊髄に沿い、お尻の中央のくぼみおよび股間部に沿ってほぼ直線的に作用する。そのため、吊り上げ弾性部材は後縫合部において股下布の寸法を二分する中央線部分において股下布に前後方向の大きな引張り張力が作用し、クロッチ部の生理用ナプキンを膣口に押し付ける。
【０００８】
しかしながら、このショーツは、後身頃に設けられている弾性部材が縦方向に伸びて弾性収縮力を発揮し、生理用ナプキンを体にフィットさせる構造であったが、後身頃に弾性部材が設けられており、前身頃は伸縮性の十分ある生地で構成されているため、夜用の厚型の生理用ナプキンを装着する場合は、後身頃の弾性部材で生理用ナプキンを引き上げて体にフィットさせようとしても、生理用ナプキンが厚くて剛性が高いため弾性部材が伸びてしまい、生理用ナプキンを押え付ける力として作用せず、お尻や股間部へ十分にフィットさせることができないことになる。
【０００９】
そのため、生理用ナプキンと身体との間に隙間が生じ、お尻を伝って経血が生理用ナプキンから漏れることがある。また、この隙間を通して経血が広がることにより肌に接触する経血が増え、肌への負担が大きくてカブレにつながる可能性が有った。
【００１０】
また、睡眠中は無意識に身体を動かすため、生理用ナプキンの位置ズレやヨレを防ぐために締め付けの強いガードルなどで押さえ付けるようして締め付けると、締め付けによるむくみや血管の血行を阻害するおそれがあり身体へ与えるストレスが大きい。
【００１１】
このため、身体全体を締め付けるのではなく、生理用ナプキンの必要な部分のみを押し当てて身体へフィットさせる構造のショーツが望まれる。
【００１２】
本発明は、以上のような課題に鑑みてなされたものであり、その目的は、夜用の厚型の生理用ナプキンを股間部やお尻の溝にフィットさせ易いと共に位置ずれを防止することができ、しかも股間部への食い込みを軽減し、全体的に締め付け感のない穿き心地のよいショーツを提供することにある。
【００１３】
【課題を解決するための手段】
この発明は、このような従来の問題点に着目してなされたもので、伸縮性の良好な部材で構成された良伸縮部と、伸縮性が微少な部材で構成された微伸縮部とで構成されたショーツであって、クロッチ部が前身頃および後身頃に橋渡しされた形態で設け、前記微伸縮部をクロッチ部の後端部から後身頃のウエストホールド部にかけての中央領域に割り当て、その縦方向の伸張係数をその周辺のお尻や腹部等のウエストを覆っている良伸縮部の縦方向の伸張係数よりも大きくする。またクロッチ部の中央領域に後身頃の微伸縮部につながるナプキン引き上げ部を設け、その縦方向の伸張係数をその周辺の股間部を覆っているクロッチ部を構成する股下布の縦方向の伸張係数よりも大きくするという構成とすることにより、上記課題を解決し、本発明を完成するに至った。
【００１４】
より具体的には、本発明は、以下のようなものを提供する。
【００１５】
（１）  伸縮性の良好な部材で構成された良伸縮部と、伸縮性が微少な部材で構成された微伸縮部と、で構成され、前身頃と、後身頃と、前記前身頃と前記後身頃との間に橋渡しされた形態で設けられたクロッチ部と、前記前身頃の上縁部と前記後身頃の上縁部とで形成された腰天回り部と、前記前身頃の両側縁と後身頃の両側縁との下方に形成される一対の脚開口部と、を有し、前記後身頃のほぼ中央領域において、前記クロッチ部から前記腰天回り部に向けて設けられた帯状領域に前記微伸縮部が割り当てられているショーツを提供する。
【００１６】
本発明によれば、ショーツを着用しようとして引っ張り上げた際に、クロッチ部から腰天回り部に向けて設けられた一定領域に割り当てられている微伸縮部は、伸びることなく、連接するクロッチ部を引き上げるように作用する。これにより、クロッチ部に装着されている生理用ナプキンが持ち上げられ、身体側の股間部やお尻の溝にフィットすることになり、生理用ナプキンと身体との隙間が生じ難くなり、経血等の漏れを防止できることになる。また、ショーツは伸縮性の良好な良伸縮部で構成されているので、ガードルのように全体的に締め付け感がなく穿き心地がよい。また、クロッチ部は前身頃と後身頃との間に橋渡しされた形態で設けられているので、着用時には恥骨付近と肛門より後付近に存在することになり、このクロッチ部に生理用ナプキンを装着して、ショーツを着用した時には、生理用ナプキンをクロッチ部に安定的に着用することができるためヨレがなく、経血の漏れにつながる恐れがない。
【００１７】
ここで、前身頃とはショーツの身頃のうち前の部分であって、腹部を覆う部分であり、後身頃とはショーツの身頃のうち背の方であって、ウエストの背側を覆う部分を意味する。また、身頃とは身体のウエストの部分を覆う部分を意味する。また、クロッチ部を前身頃および後身頃に橋渡しされた形態で設けるとは、前身頃と後身頃とが直接に連結されてクロッチ部が形成されているのではなく、股下布を前身頃および後身頃に縫合等によって連結してクロッチ部を形成することを意味する。
【００１８】
（２）  前記微伸縮部は、縦方向の伸張係数が、前記良伸縮部の縦方向の伸張係数よりも大きいものであることを特徴とする（１）に記載のショーツを提供する。
【００１９】
本発明によれば、夜用の生理用ナプキンをナプキン装着部に装着してショーツを着用しようと引っ張り上げた際に、微伸縮部がクロッチ部と縫合されている点を基点として引き上げられる。そして、この微伸縮部を引っ張り上げる力はクロッチ部を引っ張り上げる力として作用し、ナプキン装着部に装着された夜用の生理用ナプキンを吊り上げる力として働く。この場合、微伸縮部の縦方向の伸張係数は微伸縮部付近の良伸縮部よりも大きいので、微伸縮部に連接するクロッチ部、更にはクロッチ部に装着された生理用ナプキンを引っ張り上げる力として効果的に作用する。このため、従来のような後身頃中心部が伸張性を有しているショーツのように、腰天回りを持って引っ張り上げても後身頃の中心部が長く伸びるだけで、生理用ナプキンを引っ張り上げる力として作用し難いということはないので、夜用の厚型の生理用ナプキンでも股間部やお尻の溝にフィットさせやすいことになる。
【００２０】
この微伸縮部の伸張性は、縦方向の伸張係数（引張荷重を伸張率で除したもの）が１０Ｎ〜６０Ｎ程度で、より好ましくは２０Ｎ〜５０Ｎ程度である。伸張係数が１０Ｎより小さいと生理用ナプキンを吊り上げる力として不十分であり、ショーツを引き上げた際に、伸びが大きすぎて生理用ナプキンを引き上げる力として有効に作用しないことになる。６０Ｎより大きい場合、生理用ナプキンをフィットさせる力以上の引き上げ力が作用しやすく、生理用ナプキンが必要以上に身体へくい込みすぎて、違和感や痛みを生じさせることになるのであまり好ましくはない。また、例えばビニールテープや紐などのような伸ばしても素材自体が伸びないものであった場合でも、ショーツを引き上げる力がそのまま生理用ナプキンを引き上げる力として作用するので、生理用ナプキンを身体の隙間に食い込ませ過ぎることになるので好ましくない。
【００２１】
ここで、微伸縮部の縦方向および良伸縮部の縦方向とは、ショーツを装着する際に上げ下げする方向（図１および図２のＹ方向）であって、股間部および脚開口部から腰天回り部に向かう方向を意味する。また、股間部とは身体の股の間を意味し、膣口、会陰部、肛門等の部位を含む。また、伸張係数とは、後述する方法でショーツの各部位（微伸縮部、良伸縮部、ナプキン引き上げ部、固定部）を引っ張って伸張させた際の伸張荷重をそのときの伸張率で除した値を意味し、伸張係数が大きいほど伸び難いことになる。
【００２２】
（３）  前身頃と、後身頃と、前記前身頃と前記後身頃との間に橋渡しされた形態で設けられたクロッチ部と、前記前身頃の上縁部と前記後身頃との上縁部とで形成された腰天回り部と、前記前身頃の両側縁と前記後身頃との両側縁の下方に形成される一対の脚開口部と、を有し、前記クロッチ部が生理用ナプキンの装着部とされたショーツにおいて、前記クロッチ部のほぼ中央領域に前記前身頃から前記後身頃に亘って設けられたナプキン引き上げ部を備え、該ナプキン引き上げ部の縦方向の伸張係数が、前記クロッチ部を構成する股下布の縦方向の伸張係数よりも大きいことを特徴とするショーツを提供する。
【００２３】
本発明によれば、ナプキン引き上げ部は、周辺の股下布よりも縦方向の伸張係数が大きいため、ナプキン引き上げ部がその周辺の生地より強い力で引っ張り上げられ、クロッチ部に装着した生理用ナプキンの中央部を上方（身体の股間部側）に持ち上げる力として働く。尚、このナプキン引き上げ部の伸長性は伸張係数が５Ｎ〜３０Ｎ程度で、より好ましくは１０Ｎ〜２５Ｎ程度である。伸張係数が５Ｎより小さいと微伸縮部からの引き上げる力に対して生理用ナプキンの中央部を吊り上げる力として有効に働かないことになる。また、（１）で述べたようにクロッチ部は前身頃と後身頃との間に橋渡しされた形態で設けられているので、着用時には恥骨付近と肛門より後付近に存在することになり、このクロッチ部に生理用ナプキンを装着して、ショーツを着用した時には、生理用ナプキンをクロッチ部に安定的に着用することができるためヨレがなく、経血の漏れにつながる恐れがない。また、クロッチ部を構成する股下布の内側に防水機能付の防水布を前端部と後端部のみ本体と縫合することにより漏れを防止し、且つナプキンの羽根をしまうことができるナプキン装着布を設けた場合に、股下布と前身頃、後身頃との縫合部に一致させて縫合することができるので縫合箇所が少なくてすみ、着用時のゴロツキ感や外観を損なうことがない。ここで、ナプキン引き上げ部の縦方向とは、前身頃と後身頃との間に向く方向を意味する。
【００２４】
（４）  前身頃と、後身頃と、前記前身頃と前記後身頃との間に橋渡しされた形態で設けられたクロッチ部と、前記前身頃の上縁部と前記後身頃との上縁部で形成された腰天回り部と、前記前身頃の両側縁と前記後身頃との両側縁の下方に形成される一対の脚開口部と、を有し、前記クロッチ部が生理用ナプキンの装着部とされ、伸縮性の良好な部材で構成された良伸縮部の中に微少な伸縮性の部材で構成された微伸縮部とが設けられたショーツにおいて、前記微伸縮部は、前記後身頃のほぼ中央領域に前記クロッチ部から前記腰天回り部に向けて設けられ、前記クロッチ部のほぼ中央領域に前記前身頃から前記後身頃に亘ってナプキン引き上げ部が設けられ、前記微伸縮部と前記ナプキン引き上げ部とが前記クロッチ部の前記後身頃側の端部で縫合され、前記微伸縮部の縦方向の伸張係数が、前記良伸縮部の縦方向の伸張係数よりも大きく、前記ナプキン引き上げ部の縦方向の伸張係数が、前記クロッチ部を構成する前記股下布の縦方向の伸張係数よりも大きいことを特徴とするショーツを提供する。
【００２５】
本発明によれば、前記（２）および（３）で述べたように、ショーツを着用時の微伸縮部を引っ張り上げる力は、ナプキン引き上げ部を引っ張る力として働くことになる。また、ナプキン引き上げ部はその周辺の股下布より強い力で引っ張り上げられ、クロッチ部に装着した生理用ナプキンの中央部を上方（身体の股間部側）に持ち上げる力として働く。このため、股間部に生理用ナプキンをよりフィットするように固定できることになる。また、（１）で述べたようにクロッチ部は前身頃と後身頃との間に橋渡しされた形態で設けられているので、着用時には恥骨付近と肛門より後付近に存在することになり、このクロッチ部に生理用ナプキンを装着して、ショーツを着用した時には、生理用ナプキンをクロッチ部に安定的に着用することができるためヨレがなく、経血の漏れにつながる恐れがない。
【００２６】
（５）  前記クロッチ部は、前記前身頃と前記後身頃とに縫合された前記股下布で構成されるものであることを特徴とする（１）から（４）いずれか記載のショーツを提供する。
【００２７】
本発明によれば、股下中間部には幅方向（一対の脚開口部間に向く方向）に縫合部が存在することなく、前身頃と股下布前端部、後身頃と股下布後端部にそれぞれ縫合部が存在する。そして、それぞれの縫合部は、着用時には恥骨付近と肛門より後付近に存在する。そのため、生理用ナプキンを装着する時には、その股下布に安定的に着用することができるためヨレがなく経血の漏れにつながる恐れがないことになる。
【００２８】
（６）  前記ショーツは、前記腰天回り部近傍で前記後身頃と前記前身頃に亘って設けられたウエストホールド部を更に備えることを特徴とする（１）から（５）いずれか記載のショーツを提供する。
【００２９】
本発明によれば、ウエストホールド部が微伸縮部の引っ張り上げる力や固定部の固定力をショーツの横方向（幅方向）に分散させて、ウエストホールド部で保持するので、広い面積でショーツをウエスト回りにフィットさせることができる。
【００３０】
（７）  前記ショーツは、前記前身頃のほぼ中央領域に前記クロッチ部と前記ウエストホールド部と前記良伸縮部とに該良伸縮部の外側で縫合された固定部を備えることを特徴とする（１）から（６）いずれか記載のショーツを提供する。
【００３１】
本発明によれば、ショーツを着用時に微伸縮部の引っ張り上げる力を受けて、ナプキン引き上げ部が後身頃側に引っ張られる際に、前身頃の良伸縮部が伸びようとするのを固定部で抑えることができる。これにより、ナプキン引き上げ部の前身頃側は微伸縮部およびナプキン引き上げ部の影響を受けて引っ張られること無く固定されるので、微伸縮部の引っ張り上げる力がそのままナプキン引き上げ部を引っ張る力となり、生理用ナプキンを身体側に引き上げ、股間部やお尻の溝により一層フィットすることになる。
【００３２】
（８）  前記微伸縮部は、縦方向において非伸縮性の素材で構成されたものであることを特徴とする（１）、（２）、または（４）から（７）いずれか記載のショーツを提供する。
【００３３】
本発明によれば、微伸縮部は縦方向の伸縮性がほとんどないので、夜用の生理用ナプキンをナプキン装着布に装着し、ショーツを着用しようとして引っ張り上げた時に、引っ張り上げる力は生理用ナプキンを吊り上げる力として有効に働くことになる。尚、微伸縮部としては、ナイロン繊維もしくはポリエステル繊維などの編み布で、縦方向にはポリウレタン繊維などの伸縮性部材が構成されておらず、編み構造の変化による多少の伸縮性は有するが、部材による伸縮性は有しない生地といったものが挙げられる。
【００３４】
（９）  前記ナプキン引き上げ部は、縦方向において非伸縮性の素材で構成されたものであることを特徴とする（３）から（８）いずれか記載のショーツを提供する。
【００３５】
本発明によれば、ナプキン引き上げ部は微伸縮部と同じく縦方向の伸縮性がほとんどないので、ショーツを着用しようとして引っ張り上げた時の微伸縮部からの引っ張り上げる力でナプキン引き上げ部がその周辺の生地より強い力で引っ張られて、生理用ナプキンの中央部を持ち上げる力として働く。尚、ナプキン引き上げ部としては、微伸縮部と同じくナイロン繊維もしくはポリエステル繊維などの編み布で、縦方向にはポリウレタン繊維などの伸縮性部材が構成されておらず、編み構造の変化による多少の伸縮性は有するが、部材による伸縮性は有しない生地といったものが挙げられる。
【００３６】
（１０）  前記ナプキン引き上げ部は、その縦方向の伸張係数が前記微伸縮部の縦方向の伸張係数よりも小さいことを特徴とする（３）から（９）いずれか記載のショーツを提供する。
【００３７】
ショーツを着用した場合、後身頃の微伸縮部がクロッチ部のナプキン引き上げ部を伸ばしながら身体に生理用ナプキンをフィットさせようと働くことになる。もし、ナプキン引き上げ部が微伸縮部より大きい縦方向の伸張係数を有する場合に、ショーツを引き上げた時に、ナプキン引き上げ部は伸びずに、後身頃の微伸縮部が伸びるため生理用ナプキンを身体へ引き上げる力として働き難くなることになる。
【００３８】
（１１）  前記ナプキン引き上げ部は、前記前身頃側から前記後身頃側にかけて、その幅が狭くなることを特徴とする（３）から（１０）いずれか記載のショーツを提供する。
【００３９】
本発明によれば、ナプキン引き上げ部が微伸縮部の引き上げる力をうけて後身頃側に引っ張られ、身体の隙間を埋めるようにナプキンを上方向（身体の股間部側）に吊り上げる力として働く。この際、ナプキン引き上げ部の幅は、前身頃に設けられている固定部に縫合された部位（恥骨付近に当接する部位）を最大として、膣口から会陰部、肛門付近にかけて次第に細くなっているので、クロッチ部に装着された生理用ナプキンの中央線上には、その周辺より上向きの力が働くことになる。そして、固定部に縫合された部位の幅を股間幅とほぼ同じ広さにすることにより、恥骨付近が当接するショーツの部位を安定させて、膣口付近で中心がとれるようになる。尚、固定部側の幅が会陰部や肛門付近と同じように狭い場合には、着用した時に生理用ナプキンの中心がずれて、膣口などの中心からずれる可能性があり好ましくない。
【００４０】
尚、このナプキン引き上げ部の幅は、前身頃に設けられている固定部に縫合された部位（恥骨付近に当接する部位）を最大として、膣口から会陰部、肛門付近にかけて次第に細くなっている他に、前身頃に設けられている固定部に縫合された部位（恥骨付近に当接する部位）を最大として、膣口から会陰部付近にかけ次第に細くなり、更にこの膣口から肛門付近にかけて広く（但し固定部と縫合された部位の広さより細い）なっていてもよい。
【００４１】
（１２）  前記ナプキン引き上げ部の幅は、２０ｍｍから６０ｍｍであることを特徴とする（１１）に記載のショーツを提供する。
【００４２】
ナプキン引き上げ部の幅が細い線として存在していないので、力が１点に集中することがないため、着用時に身体へのくい込みが発生したり、また生理用ナプキンをナプキン装着布に装着した場合、中央部で折れ曲がり山型になり、その頂点が身体へ違和感を与える恐れがないことになる。
【００４３】
（１３）  前記固定部の縦方向の伸張係数が、前記良伸縮部の縦方向の伸張係数よりも大きいことを特徴とする（７）から（１２）いずれか記載のショーツを提供する。
【００４４】
本発明によれば、前身頃中央部の固定部は、恥骨付近が当接するショーツの部位を固定させる力として作用するが、固定部の縦方向の伸張係数が、良伸縮部の縦方向の伸張係数よりも大きいので、前身頃の縦方向へ伸びようとする力が抑えられる。この固定部によって伸びが抑えられるため、微伸縮部やナプキン引き上げ部の影響を受けて前身頃の中央領域が伸びることはなく、恥骨付近が当接するショーツの部位が固定されることになる。尚、この固定部の縦方向の伸張係数は１０Ｎ〜３０Ｎ程度、より好ましくは１５Ｎ〜２５Ｎ程度である。これは、前身頃の腹部は身体の動きによって変形が大きい部分であるため、全く伸びの無い生地とした場合には、前身頃上端の腰天回り部が下にズレ下がり、フィット性を損なうおそれがあるためである。尚、この固定部はナイロン繊維とポリウレタン繊維等とからなるパワーネットで構成されている。
【００４５】
ここで、固定部の縦方向とは、ショーツを装着する際に上げ下げする方向であって、股間部および脚開口部から腰天回り部に向かう方向（図２に示すＹ方向）を意味する。
【００４６】
（１４）  前記微伸縮部の腰天回り部側の上端部は、前記ウエストホールド部とほぼＶ字状に縫合されていることを特徴とする（１）、（２）、または（４）から（１３）のいずれか記載のショーツを提供する。
【００４７】
本発明によれば、微伸縮部を構成する生地のウエストホールド部からクロッチ部までの長さは、ウエストホールド部と縫合されているＶ字状の中央部（Ｖ字の中央先端部）からクロッチ部までの長さの方がその左右端部よりも短いことになる。生地が短い方が長い部分に比べて伸張時の伸張量は大きくなるので、微伸縮部が上方へ引っ張り上げられた場合、Ｖ字状の中央部からクロッチ部までの部位がその左右端部よりも強い力で引っ張り上げられるようになる。そのため、中央部が弛んだりせず、生理用ナプキンを引き上げる力が発現することになる。
【００４８】
（１５）  前記固定部の腰天回り部側の上端部は、前記ウエストホールド部とほぼＶ字状に縫合されていることを特徴とする（６）から（１３）いずれか記載のショーツを提供する。
【００４９】
本発明によれば、固定部を構成する生地のウエストホールド部からクロッチ部までの長さは、ウエストホールド部と縫合されているＶ字状の中央部（Ｖ字の中央先端部）からクロッチ部までの長さがその左右端部よりも短いことになる。生地が短い方が長い部分に比べて伸張時の伸張量は大きくなるので、上記の微伸縮部で説明したように、固定部が上方へ引っ張り上げられた場合、Ｖ字状の中央部からクロッチ部までの部位がその左右端部よりも強い力で引っ張り上げられるようになる。そのため、中央部が弛んだりせず、生理用ナプキンを引き上げる力が発現することになる。
【００５０】
（１６）  前記クロッチ部の内側には、前後端部が該クロッチ部に縫合され、その中間部が縫合されていないナプキン装着布を備えることを特徴とする（１）から（１５）いずれか記載のショーツを提供する。
【００５１】
本発明によれば、クロッチ部に縫合された生理用ナプキン装着布はクロッチ部とは完全に一体化されないので、クロッチ部の内側でクロッチ部から独立しているため、ナプキン装着布はクロッチ部と一体して前後方向（前身頃側と後身頃側の方向）へ伸びることなく、あるいは伸びても僅かであるので、装着された生理用ナプキンを確実に保持できる。また、前後端部がクロッチ部に縫合されているので、クロッチ部を構成する股下布と一致させて縫合することができるので縫合箇所が少なくてすみ、着用時のゴロツキ感や外観を損なうことがない。ここで、前後端部とは、ナプキン装着布の前身頃側および後身頃側の端部を意味する。
【００５２】
（１７）  前記ナプキン装着布の長さは、前記クロッチ部を構成する前記股下布の長さと同等かそれ以上であることを特徴とする（１６）に記載のショーツを提供する。
【００５３】
本発明によれば、ショーツを引っ張り上げて着用する際に、伸縮生地の股下布からなるクロッチ部が伸ばされても、ナプキン装着布の長さが長いので、伸びることはないか、あるいは伸びたとしても僅かなために、生理用ナプキンをしっかり保持できる。また、クロッチ部が伸ばされた際に、ナプキン引き上げ部が股間部側に押し上げられ、生理用ナプキンが股間部に押し付けられるようになる。
【００５４】
（１８）  前記良伸縮部と前記微伸縮部との境界において、前記良伸縮部から前記微伸縮部に亘って伸縮性が漸減していくことを特徴とする（１）、（２）、または（４）から（１７）いずれか記載のショーツを提供する。
【００５５】
本発明によれば、伸縮性が良伸縮部から次第に低減しているので、ショーツを着用するために引き上げる際に微伸縮部の伸びが漸次減少していくことになり、違和感なくフィットすることになる。
【００５６】
（１９）  前記良伸縮部と前記微伸縮部との境界において、前記良伸縮部から前記微伸縮部に亘って伸縮性が不連続的に変化するものであることを特徴とする（１）、（２）または（４）から（１７）いずれか記載のショーツを提供する。
【００５７】
微伸縮部の伸縮性が良伸縮部から微伸縮部に亘って不連続的に変化するものとすることで、良伸縮部と微伸縮部とがくっきりと区画されていることになり、くっきりとした区画なしになされていたような場合（すなわち、伸縮性が連続的に変化するような場合）に比べると、フィット性は低下するものの、生理用ナプキンの引き上げの効果は良好となる。
【００５８】
（２０）  前記ショーツを立体形状にしたときの、前記クロッチ部から前記腰天回り部までの股上丈と、前記脚開口部から前記腰天回り部までの最短部の身丈との寸法比は、前記股上丈の１００に対して前記身丈が８０〜２００であることを特徴とする（１）から（１９）いずれか記載のショーツを提供する。
【００５９】
本発明によると、身丈が長いため、脚開口部に設けられたレッグバンドは股部周囲から腰骨のあたりまでを締め付けるのではなく、装着者の大腿部を締め付けるようになる。従って、クロッチ部にレッグバンドによる斜めの引き上げ力が作用しないので、股間部への食い込みが生じなくなる。さらにクロッチ部にレッグバンドによる大きな引き上げ力が作用しないために、後身頃に設けられた微伸縮部によりクロッチ部の生理用ナプキンが確実に上方に吊り上げられることとなり、より一層フィットすることになる。
【００６０】
（２１）  前記微伸縮部、および前記ナプキン引き上げ部、前記ウエストホールド部は、前記良伸縮部と異なる色調や光沢を呈するものであることを特徴とする（１）から（２０）いずれか記載のショーツを提供する。
【００６１】
本発明によれば、微伸縮部、およびナプキン引き上げ部、ウエストホールド部は良伸縮部と色や質感が異なることにより、見た目に区別がし易くなる。このようにウエストホールド部、微伸縮部、およびナプキン引き上げ部が目立つようになることにより、着用者はこれら引き上げ部を認識し易くなると共に、引き上げ部の効果を実感し易くなる。また、ショーツのほぼ中央部に設けたこれら引き上げ部が見た目に他の生地の部分と異なることにより、ショーツに生理用ナプキンを装着して位置合わせする際に、生理用ナプキンの中央部とショーツの中央部とがあわせ易くなり、的確に生理用ナプキンの中央部を身体の股間部の中央部にフィットさせることができるようになる。それにより、経血等の液漏れを防止できるように隙間を塞ぐ効果を向上させることができる。
【００６２】
（２２）  着用方法を示す表示が前記前身頃または前記後身頃に設けられたことを特徴とする（１）から（２１）いずれか記載のショーツを提供する。
【００６３】
本発明によれば、着用者は、その表示をみて生理用ナプキンのフィット性をコントロールすることが可能になる。すなわち、生理用ナプキンをショーツのナプキン装着布に粘着剤等を介して装着し、そのショーツを身体の所定の位置にひっぱりあげて着用する際に、ショーツの脇上部を持って引っ張り上げるが、この着用方法で、ショーツが着用された場合、生理用ナプキンの密着性はある程度有する。ところが、個人により好みの密着度は異なるため、よりフィットさせたい人は、例えば「後身頃中央部の微伸縮部の延長線上の部位を引っ張り上げることにより、より高いフィット性を得ることができる」という表示を見て自分の好みの密着性が得ることができる。このようにして、高い密着性を望む人が着用時にわかりやすく着用することができるように誘導される。
【００６４】
（２３）  前記表示は、前記微伸縮部の上方の前記腰天回り部の近傍に設けられたものであることを特徴とする（２２）に記載のショーツを提供する。
【００６５】
本発明によれば、表示の部分を引っ張り上げることにより生理用ナプキンをより一層フィットさせることができる。すなわち、ショーツの脇上部をつかんで装着した後に、更に表示部分を引っ張り上げることにより、微伸縮部が引き上げられることになる。この微伸縮部が引き上げられることによって、先に説明したように生理用ナプキンを身体の股間部側により強く押し上げることとなるため、より高い密着性を得ることができる。
【００６６】
【発明の実施の形態】
次に、本発明のショーツの一実施形態について、図を参照しつつ説明するが、本発明はこれに限定されるものでない。
【００６７】
本実施形態のショーツの基本構成について説明する。図１は身体に装着していない本発明のショーツの第１の実施形態を前身頃と後身頃とが接するように２つ折りした状態を示す正面図、図２は２つ折りした状態を示す背面図、図３は第１の実施形態の装着状態のものを前身頃側から示す斜視図、図４は第１の実施形態の装着状態を後身頃側から示す斜視図、図５は図２の実施形態のショーツの微伸縮部を拡大した拡大平面図、図６はクロッチ部を底面側から見た部分平面図、図７は図６においてナプキン引き上げ部の別形態を示す部分平面図、図８はクロッチ部を内側から示す部分斜視図、図９はクロッチ部の部分側面図、図１０は本発明のショーツ着用時の微伸縮部、ナプキン引き上げ部および固定部の挙動を説明するための説明図、図１１は本発明のショーツ着用時の膣口付近のショーツの挙動を説明するための説明図、図１２は微伸縮部についての伸張率と引張強度の関係を示す図である。
【００６８】
図１から図４に示すように、ショーツ１０は、前身頃１１と、後身頃１２と、前身頃１１と後身頃１２との間に位置するクロッチ部１３と、前身頃１１の上縁部と後身頃１２の上縁部とで形成された腰天回り部１４と、前身頃１１と後身頃１２の下方に形成される一対の脚開口部１５と、クロッチ部１３の内側に生理用ナプキンを装着するナプキン装着布１６（図８に示す）と、を有し、腰天回り部１４近傍に前身頃１１と後身頃１２に亘ってウエストホールド部１７が設けられ、後身頃１２の中央領域にはクロッチ部１３からウエストホールド部１７に向かって微伸縮部１８が設けられ、ウエストホールド部１７を除いた微伸縮部１８から前身頃１１全域に亘って良伸縮部１９が設けられ前身頃１１のほぼ中心線上で縫い合わされている。また、前身頃１１の中央領域には、良伸縮部１９の外側で、クロッチ部１３、ウエストホールド部１７、良伸縮部１９に縫合された固定部２０が設けられ、クロッチ部１３の中央領域には微伸縮部１８から固定部２０に向かってナプキン引き上げ部２１が設けられている。また、前身頃１１と後身頃１２の上端部の腰天回り部１４にウエストバンド２２が設けられ、脚開口部１５にレッグバンド２３が設けられている。そして、ショーツ１０を立体形状にしたときのクロッチ部１３から腰天回り部１４までの股上丈Ｌａと脚開口部１５から腰天回り部１４までの最短部の身丈Ｌｂとの寸法比は、股上丈Ｌａが１００に対して身丈Ｌｂが８０〜２００となる関係にある。
【００６９】
良伸縮部１９は、例えば、ナイロン繊維とポリウレタン繊維、ポリエステル繊維とポリウレタン繊維、ナイロン繊維とポリエステル繊維とポリウレタン繊維等の編み布で形成することができる。また、上記した繊維の組合せでなくても、伸張係数が１０Ｎ以下にできれば、他の繊維を使ったり、他の編み方を採用することもできる。また、クロッチ部１３は股下布２４から構成され、この股下布２４は良伸縮部１９とクロッチ部１３の前身頃１１側と後身頃１２側で縫合されている。この股下布２４は良伸縮部１９と同様にナイロン繊維とポリウレタン繊維、ポリエステル繊維とポリウレタン繊維、ナイロン繊維とポリエステル繊維とポリウレタン繊維等で編まれた弾性伸縮自在な生地により形成されている。また、腰天回り部１４に設けられたウエストバンド２２および脚開口部１５に設けられたレッグバンド２３は、ポリウレタン繊維で形成された伸縮性織布、合成ゴムシート、天然ゴムシートなどで形成されている。ここで、縦方向とは、腰天回り部１４とクロッチ部１３および脚開口部１５とを上下とする方向（図１に示すＹ方向）であって、ショーツ１０を装着する際に上げ下げする方向を意味し、横方向とは、縦方向と直交する方向（図１に示すＸ方向）であって、ショーツ１０の幅方向を意味する。
【００７０】
ウエストホールド部１７は、ショーツ１０の腰天回り部１４近傍に前身頃１１および後身頃１２の中央部に向けてほぼＶ字状に形成されて、前身頃１１および後身頃１２の良伸縮部１９に縫合されている。このウエストホールド部１７は、横方向への伸張係数よりも縦方向への伸張係数が強い編み布であり、ナイロン繊維とポリウレタン繊維、ポリエステル繊維とポリウレタン繊維、ナイロン繊維とポリエステル繊維とポリウレタン繊維等の編み布で形成されている。また、腰天回り部１４の上端部に設けられたウエストバンド２２は約１０ｍｍ程度のポリウレタンバンド、天然ゴムバンド、合成ゴムバンドなどで、伸張状態でウエストホールド部１７に縫合されている。
【００７１】
このウエストホールド部１７は、微伸縮部１８や固定部２０によるナプキン引き上げ部２１を引き上げる力を分散してウエスト部で保持する役割を果たすものであって、着用した際に腰に引っ掛かるようになって固定されるように、縦方向の伸びが抑えられたものが望ましい。また、横方向の伸張係数は、良伸縮部１９の横方向の伸張係数よりも大きい方がウエスト部の締め付けが強くなり、ショーツ１０のズレ下がりを防止できるので好ましい。
【００７２】
上記微伸縮部１８は、後身頃１２のほぼ中央領域に、上端部がウエストホールド部１７の中央部分（Ｖ字状の中央先端を挟んだ近傍部分）でウエストホールド部１７と縫合され、下端部はクロッチ部１３の後身頃１２側の端部（クロッチ部１３の後端部）と縫合され、中間部は良伸縮部１９に縫合されて形成され、ウエスト上端部付近のウエストホールド部１７からクロッチ部１３の後端部まで伸び、クロッチ部１３の後端部へ近づくにつれて細くなっている。この細い部分の幅は、１０ｍｍ〜３０ｍｍ程度で、望ましくは２０ｍｍ程度である。ウエストホールド部１７と縫合されている部分の幅は３０ｍｍ〜１３０ｍｍ程度、望ましくは６０ｍｍ程度である。尚、微伸縮部１８は、腰天回り部１４まで伸びていてもよい。
【００７３】
また、上記のように微伸縮部１８の上端部とウエストホールド部１７との縫合部はほぼＶ字状になっているので、微伸縮部１８を構成する生地のウエストホールド部１７からクロッチ部１３までの長さは、ウエストホールド部１７と縫合されているＶ字状の中央部（Ｖ字の中央先端部）からクロッチ部１３までの長さ（図１に示すＬｃに相当）の方がその左右端部の長さ（図１に示すＬｄに相当）よりも短い。このため、Ｖ字状の中心部からクロッチ部１３までの生地は、着用時の伸張率が大きくなる。すなわち、着用時の生地の伸張力が大きいことになる。この微伸縮部１８が上方へ引っ張り上げられた場合、Ｖ字状の中央部からクロッチ部１３までの長さが短いためその左右端部よりも強い力で引っ張り上げられることになり、中央部がたるんだりせず、生理用ナプキン２５を引き上げる力が発現するようになる。尚、これらの長さ関係について、このショーツ１０をドールに着用させて着用前と着用後の長さと伸張率を測定した結果を表１に示す。表１に示すように、Ｖ字状の中央部の長さは、着用前は短く、また着用時の伸縮率が大きいことを表している。
【００７４】
【表１】
2004254860.tif 000003
【００７５】
微伸縮部１８は、例えば、ナイロン繊維および／またはポリエステル繊維、ナイロン繊維とポリウレタン繊維、ポリエステル繊維とポリウレタン繊維、ナイロン繊維とポリエステル繊維とポリウレタン繊維などの編み布で構成することができる。微伸縮部１８を構成する生地としては、縦方向にはポリウレタン繊維などの伸縮性部材が構成されておらず、編み構造の変化による多少の伸縮性は有するが、部材による伸縮性は有しない生地といったものが挙げられ、生地の縦方向への伸張係数が良伸縮部１９の縦方向への伸張係数より大きい、すなわち微伸縮部１８を構成する生地の方が良伸縮部１９より伸び難いものである。これによって、周辺のお尻や腹部を覆う良伸縮部１９は縦方向・横方向に伸縮自在の生地で構成されているため、身体の動きによって生じる身体の変形に追従するように働くが、後身頃１２のほぼ中央領域に設けた微伸縮部１８は、その縦方向の伸張係数が良伸縮部１９の伸張係数より大きいために、良伸縮部１９の動きの影響を受け難いことになる。
【００７６】
尚、微伸縮部１８の伸張性は、伸張係数が好ましくは１０Ｎ〜６０Ｎ程度あって、より好ましくは２０Ｎ〜５０Ｎ程度である。伸張係数が１０Ｎより小さいと生理用ナプキン２５を吊り上げる力として不十分であり、６０Ｎより大きいと生理用ナプキン２５を身体の隙間に食い込ませ過ぎることになる。尚、微伸縮部１８が全く伸びない場合でも、ショーツ１０を引き上げる力がそのまま生理用ナプキン２５を引き上げる力として作用するが、生理用ナプキン２５をフィットさせる力以上の引き上げ力が作用しやすく、生理用ナプキン２５が必要以上に身体へくい込みすぎて、違和感や痛みを生じさせることになるのであまり好ましくはない。一方、伸びが大きいとショーツ１０を引き上げた際に伸びが大きくて生理用ナプキン２５を引き上げる力として有効に作用しない。これに対し、良伸縮部１９の伸張係数は１０Ｎ以下、好ましい伸張係数は、１０〜３０％伸張時で２Ｎ〜３Ｎ程度である。具体的には、着用時において約２０％の伸張時において伸張荷重は０．４〜０．６Ｎ程度であるので、身体に添うようにやさしくフィットするような締め付けとなる。ここで、着用状態での伸張係数とは、Ｍサイズを想定したドールに着用させた場合の伸張係数を意味する。
【００７７】
尚、微伸縮部１８は、伸張率が同じもので構成されたものであってもよいし、図５に示すように伸張率を左右の両端部から中央部にかけて漸次減少するように変えたもの、あるいは不連続に変化するものであってもよい。尚、図５は微伸縮部１８の部分を拡大した図であって、微伸縮部１８はその左右の端部１８ａから中央部１８ｂにかけて伸張率が除々に変わるのを模式的に示したものである。
【００７８】
尚、参考までに、本発明のショーツ１０の微伸縮部１８の伸張率と引張強度の関係について、従来のショーツと対比して図１２に示した。
【００７９】
図１２に示すように、従来のショーツの後身頃のほぼ中央領域に設けられた弾性部材が着用時に３０％の伸びでＰ１という引張荷重がショーツに与えられているとすると、本発明のショーツ１０の場合は、同じ３０％の伸びでＰ２という引張荷重となり、本発明のショーツ１０の方が、従来のショーツよりも引張強度が大きい。すなわち、Ｐ２＞Ｐ１である特徴を有している。本発明のショーツ１０が着用時に１０％しか伸びない場合でも、従来のショーツの引張強度Ｐ１よりも強い引張強度Ｐ３が本発明のショーツ１０に与えられることになる。すなわち、従来のショーツに比べて伸張率が少なくても引張強度が大きく、クロッチ部１３を引っ張る力として有効に作用することになる。このため、夜用の生理用ナプキン２５を引き上げる力が大きくなり、身体の股間部によりフィットするようになる。
【００８０】
また、ショーツ１０の固定部２０はパワーネットで構成され、前身頃１１のほぼ中央領域で、良伸縮部１９の外側に位置し、上端部がウエストホールド部１７の中央部分（Ｖ字状の中央先端を挟んだ近傍部）でウエストホールド部１７と良伸縮部１９と共に縫合され、下端部はクロッチ部１３の前身頃１１側の端部（クロッチ部１３の前端部）でクロッチ部１３のナプキン引き上げ部２１とナプキン装着布１６と良伸縮部１９と共に縫合され、中間部は良伸縮部１９に縫合されている。そして、ウエストホールド部１７側からクロッチ部１３側に近づくにつれて幅が狭くなっており、クロッチ部１３のほぼ中央領域に形成されたナプキン引き上げ部２１に縫合し連結されている。ナプキン引き上げ部２１に連結される部分の幅は、ナプキン引き上げ部２１の前身頃１１側前端部の幅とほぼ一致している。また、ウエストホールド部１７と縫合し連結されている上端部はほぼＶ字状になっており、その幅は６０ｍｍ〜１５０ｍｍ程度、望ましくは８０ｍｍ〜１２０ｍｍ程度である。
【００８１】
上記のように固定部２０の上端側はウエストホールド部１７とほぼＶ字状に縫合されていることにより、微伸縮部１８の場合と同様に、この固定部２０が上方へ引っ張り上げられた場合、Ｖ字状の中央部（Ｖ字の中央先端部）からクロッチ部１３までの長さ（図１に示すＬｃ）が左右端部の長さ（図１に示すＬｄ）より短いために左右端部よりも強い力で引っ張り上げられることになる（表１参照）。そのため、中央部がたるんだりせず、生理用ナプキン２５を引き上げる力が発現することになる。
【００８２】
この固定部２０を構成するパワーネットは、ナイロン繊維と１００ｄｔｅｘ以上のポリウレタン繊維で構成された生地であって、縦方向の伸張係数が良伸縮部１９の縦方向の伸張係数より大きい、すなわち固定部２０を構成するパワーネットの生地の方が良伸縮部１９より伸び難いものである。この固定部の縦方向の引張強度は伸張係数が１０Ｎ〜３０Ｎ程度、より好ましくは１５Ｎ〜３０Ｎ程度である。尚、固定部２０を構成するパワーネットの繊維の種類や混合割合等は、これに限定されるものでなく、上記の効果が得られるように適宜選定すればよい。
【００８３】
また、上記ナプキン引き上げ部２１は、良伸縮部１９と同様の素材の股下布２４から構成されるクロッチ部１３のほぼ中央領域に、図６に示すように、一方の端部が後身頃１２のほぼ中央領域に設けられた微伸縮部１８の股間部側の端部と縫合され、他方の端部が前身頃１１のほぼ中央領域に設けられた固定部２０の股間部側の端部と縫合され、その中間部は股下布２４と縫合されて形成され、着用時に恥骨に当接する部分近傍から肛門付近までのびており、前身頃１１側前端部から後身頃１２側後端部へ近づくにつれて幅が狭くなっている。ナプキン引き上げ部２１の幅は広い部分が５０ｍｍ〜８０ｍｍ程度、望ましくは７０ｍｍ程度であって、幅が狭い部分が１０ｍｍ〜３０ｍｍ程度、望ましくは２０ｍｍ程度である。
【００８４】
このナプキン引き上げ部２１は、微伸縮部１８と同じくナイロン繊維および／またはポリエステル繊維、ナイロン繊維とポリウレタン繊維、ポリエステル繊維とポリウレタン繊維、ナイロン繊維とポリエステル繊維とポリウレタン繊維などの編み布で、縦方向にはポリウレタン繊維などの伸縮性部材が構成されておらず、編み構造の変化による多少の伸縮性は有するが、部材による伸縮性は有しない生地で構成されており、縦方向の伸張係数が微伸縮部１８の縦方向の伸張係数より小さい、すなわちナプキン引き上げ部２１を構成する生地の方が微伸縮部１８より伸び易いものである。
【００８５】
このナプキン引き上げ部２１の伸張性は、伸張係数が５Ｎ〜３０Ｎ程度であるのが好ましく、より好ましくは１０Ｎ〜２５Ｎ程度である。伸張係数が５Ｎより小さいと伸び易くなり生理用ナプキン２５の中央部を吊り上げる力として不十分である。３０Ｎより大きいと微伸縮部１８よりも伸縮性が高くなり、生理用ナプキン２５中央部を身体の隙間にフィットさせるための吊り上げる作用が働き難くなる。
【００８６】
また、ナプキン引き上げ部２１の幅は、図７に示すように、固定部２０に縫合された部位の幅を最大として、中間域に向けて次第に細くなり、更に中間域から微伸縮部１８に縫合された部位に向かって広くなってもよい。この場合、微伸縮部１８に縫合された部位のナプキン引き上げ部２１の幅は、固定部２０に縫合された部位の幅よりも狭くなっている。
【００８７】
また、クロッチ部１３の内側には、図８に示すように、ナプキン装着布１６がその前身頃１１側前端部と後身頃１２側後端部をクロッチ部１３に縫合されて設けられている。ナプキン装着布１６はポリエステルのニット編みの丸編み鹿の子の生地にポリウレタンをラミネート加工して形成された防水布と、ラミネート加工されたフィルム面を保護するためのポリエステルのニット編み生地の左右端部周辺を縫合して生地とフィルムとを一体化させたものである。尚、ナプキン装着布１６の長さＬ２は、図９に示すように、クロッチ部１３の長さＬ１と同一かそれ以上である。具体的には、クロッチ部１３の長さＬ１は１４０ｍｍ〜１９０ｍｍ程度、望ましくは１６０ｍｍ程度である。また、ナプキン装着布１６の長さＬ２は１４０ｍｍ〜２２０ｍｍ程度、望ましくは２００ｍｍ程度である。
【００８８】
更に、ショーツ１０の良伸縮部１９は黒色のセミダルの生地を用い、ウエストホールド部１７、微伸縮部１８、ナプキン引き上げ部２１は茶色のブライトの生地を用いている。尚、固定部２０を構成するパワーネットも良伸縮部１９の生地と異なる色で構成されていても良い。このように、良伸縮部１９とウエストホールド部１７、微伸縮部１８、ナプキン引き上げ部２１、固定部２０が異なる色、もしくは同色であっても配合酸化チタン量を変えた繊維で構成させて、光の反射が異なるようにして、これら引き上げ部が見た目に目立つようになっているのが好ましい。
【００８９】
次に、本発明のショーツ１０を着用した際、ショーツ１０に設けられた微伸縮部１８、ナプキン引き上げ部２１、固定部２０の挙動について、図１０および図１１に基づいて説明する。尚、図１０は本発明のショーツ着用時の身体の股間部における微伸張部、ナプキン引き上げ部および固定部の挙動を説明するための説明図で、身体の股間部における断面を表す。また、図１１はショーツ着用時の膣口付近のショーツの挙動を説明するための説明図で、膣口部分の横断面を表す。
【００９０】
ショーツ１０を着用すると、図１０に示すように、微伸縮部１８の引っ張り上げる力Ｔ１を受けて、ナプキン引き上げ部２１が基点Ａ（固定部２０とクロッチ部１３との縫合部で、身体の恥骨に当接する付近）を基点にして身体の隙間を埋めるように後身頃側に引っ張る力Ｔ３が働く。そして、ナプキン引き上げ部２１を引っ張る力Ｔ３が生理用ナプキン２５の中央部に上向きの力Ｔ４として働くことになる。尚、基点Ａ側におけるナプキン引き上げ部２１の幅は約７０ｍｍ程度あり、膣口から会陰部、肛門付近にかけて（微伸縮部１８とクロッチ部１３との縫合部である基点Ｂにかけて）だんだん細くなり幅が約２０ｍｍ程度となっている。これにより、基点Ａ側の幅が広くなっているので、基点Ａを安定させて、膣口付近で中心がとれるようになる。もし基点Ａ側の幅が約２０ｍｍ程度の細い場合には、着用した時に、中心がずれる恐れがあり、膣口などの中心からずれる可能性があるので好ましくない。
【００９１】
また、図１１に示すように、膣口付近では、ナプキン引き上げ部２１の幅が約２０ｍｍ程度と狭くなっているので、ナプキン引き上げ部２１がその周辺の生地よりも伸張係数が高いため、より強い力で伸ばされて生理用ナプキン２５の中央部を上方に持ち上げる力上向きの力Ｔ４として働くことになる。
【００９２】
また、図１０に示すように、微伸縮部１８が後身頃の上方に引っ張り上げる力Ｔ１によって、ナプキン引き上げ部２１が後方向（後身頃側）へ引っ張られるように働く。そのため基点Ａには、後方向へずれようとする力が生じるが、基点Ａが後方へずれると、微伸縮部１８およびナプキン引き上げ部２１による生理用ナプキン２５をフィットさせようとする力が働きにくくなる。すなわち、全体が後方へずれることになり、生理用ナプキン２５を身体側へフィットさせる力が生じなくなる。このようなことが生じないようにするために、基点Ａはできるだけ固定させるのが望ましいことになるが、これに対して前身頃１１の固定部２０は、基点Ａを固定させる力として作用する。すなわち、固定部２０を構成するパワーネットをショーツ１０の良伸縮部１９の外側に縫合させることにより、前身頃１１の縦方向へ伸びようとする力Ｔ２を抑えることができる。このようにして、固定部２０により前身頃１１の伸びが抑えられるため、基点Ａは微伸縮部１８およびナプキン引き上げ部２１の影響を受けて引っ張られること無く固定される。この固定部２０を構成するパワーネットの生地の縦方向の伸張係数は１０Ｎ〜３０Ｎ程度であるのが好ましい。これは、前身頃１１が当接する腹部は身体の動きによって変形が大きい部分であるため、全く伸びの無い生地とした場合、前身頃１１の上端のウエスト部が下にズレ下がり、フィット性を損なうおそれがあるためである。
【００９３】
ここで、基点Ａとは、固定部２０とクロッチ部１３との縫合部で、身体の恥骨に当接する付近に相当し、基点Ｂは微伸縮部１８とクロッチ部１３との縫合部で、肛門よりも後身頃１２側であって、恥骨から後方（後身頃１２側）１５０〜２００ｍｍ付近に相当する。
【００９４】
次に、ショーツの各部位（微伸縮部、ナプキン引き上げ部、固定部、良伸縮部）の伸張性の測定方法について説明する。
【００９５】
＜微伸縮部の測定＞
ショーツ１０の微伸縮部１８のクロッチ部１３の後身頃１２側の端部（クロッチ部１３の後端部）の縫合部と、この縫合部から腰天周り部１４方向へチャック間隔１００ｍｍになる位置とをチャック（掴み面の寸法が３５ｍｍ×２５ｍｍの矩形状）で掴み、引張り試験機により１００ｍｍ／ｍｉｎの引張り速度で５０％まで微伸縮部１８を伸張させ、１０％ごとの伸張荷重を測定する。
【００９６】
＜ナプキン引き上げ部の測定＞
ショーツ１０のナプキン引き上げ部２１と前身頃１１との縫合部と、この縫合部から後身頃１２方向へチャック間隔１５０ｍｍになる位置とをチャック（掴み面の寸法が３５ｍｍ×２５ｍｍの矩形状）で掴み、引張り試験機により１００ｍｍ／ｍｉｎの引張り速度で５０％まで伸張させ、伸張度１０％ごとの伸張荷重を測定する。
【００９７】
＜固定部の測定＞
ショーツ１０の固定部２０とクロッチ部１３の前身頃１１側の端部（クロッチ部１３の前端部）と前身頃１１との縫合部と、この縫合部から腰天周り部１４方向へチャック間隔８０ｍｍになる位置とをチャック（掴み面の寸法が３５ｍｍ×２５ｍｍの矩形状）で掴み、引張り試験機により１００ｍｍ／ｍｉｎの引張り速度で５０％まで固定部２０を伸張させ、伸張度１０％ごとの伸張荷重を測定する。
【００９８】
＜良伸縮部の測定＞
ショーツ１０の良伸縮部１９を長さ１３０ｍｍ×幅２５ｍｍにカットし、このカット片をチャック間隔１００ｍｍになるようにしてチャック（掴み面の寸法が３５ｍｍ×２５ｍｍの矩形状）で掴み、引張り試験機により１００ｍｍ／ｍｉｎの引張り速度で５０％まで良伸縮部１９を伸張させ、伸張度１０％ごとの伸張荷重を測定する。
【００９９】
尚、伸張係数は、上記の方法で測定した伸張荷重をそのときの伸張率で除した値である。例えば、２０％伸張時に１０Ｎの伸張荷重である場合の伸張係数は１０Ｎ／０．２＝５０Ｎとなる。
【０１００】
次に、本発明の第２の実施形態について図１３、図１４を参照して説明する。図１３は第２の実施形態に係るショーツを裏返しにして前身頃と後身頃とが接するように２つ折りした状態を示す背面図である。図１４は図１３に示す第２の実施形態の別の形態を示す背面図である。尚、以下の実施形態では第１の実施形態と同一の構成要素には同一符号を付して、その重複する説明を省略する。
【０１０１】
図１３に示す第２の実施形態のショーツ１０Ａは、第１の実施形態のショーツ１０において、ショーツ１０Ａの内側部分において、後身頃１２のほぼ中央領域に幅３０〜１４０ｍｍ、好ましくは８０ｍｍ程度で防水布２６がクロッチ部１３からウエストホールド部１７に亘って設けられている。そして、この防水布２６はクロッチ部１３とウエストホールド部１７と微伸縮部１８とに縫合されてショーツ１０Ａ本体と一体になっている。尚、ショーツ１０Ａ本体の伸縮特性を阻害しないようにクロッチ部１３からウエストホールド部１７に亘る防水布２６の左右端部はショーツ１０Ａ本体とは縫合されずに遊離している。
【０１０２】
この防水布２６は前述のナプキン装着布１６と同様に、ポリエステルのニット編みの丸編み鹿の子の生地にポリウレタンをラミネート加工して形成された防水布と、ラミネート加工されたフィルム面を保護するためのポリエステルのニット編み生地の左右端部周辺を縫合して生地とフィルムとを一体化させたものである。また、ショーツ１０Ａ本体の伸縮特性を阻害しない伸縮性を縦方向と横方向に有するものである。
【０１０３】
このように、ショーツ１０Ａの内側部分に、後身頃１２のほぼ中央領域に防水布２６を設けることにより、生理用ナプキンの吸収能力を超える経血量が排出された場合に、生理用ナプキンから溢れ出た経血を防水布２６で受け止めてショーツ１０Ａの外に漏れるのを防止することができる。
【０１０４】
尚、この防水布２６は図１４に示すように、下端がクロッチ部１３まで延びていないで、ウエストホールド部１７から後身頃１２のほぼ中間部まで、すなわち、ショーツ１０Ｂに生理用ナプキンを装着した際に、生理用ナプキンの先端部分が防水布２６に載るようにしてナプキンの長さを超える部分に設けてもよい。そして、この防水布２６はウエストホールド部１７と微伸縮部１８とに縫合され、また、その下端縁は後身頃１２の良伸縮部１９に縫合されてショーツ１０Ｂ本体と一体になっている。尚、ショーツ１０Ｂ本体の伸縮特性を阻害しないように防水布２６の左右端部はショーツ１０Ａ本体とは縫合されずに遊離している。
【０１０５】
次に、本発明の第３の実施形態について図１５を参照して説明する。図１５は身体に装着していない本発明のショーツの第３の実施形態を前身頃と後身頃とが接するように２つ折りした状態を示す図で、（ａ）は２つ折りした状態を示す正面図、（ｂ）は２つ折りした状態を示す背面図である。尚、以下の実施形態では第１の実施形態と同一の構成要素には同一符号を付して、その重複する説明を省略する。
【０１０６】
図１５に示す第３の実施形態のショーツ１０Ｃは、第１の実施形態のショーツ１０において、クロッチ部１３から腰天回り部１４までの股上丈Ｌａと脚開口部１５から腰天回り部１４までの最短部の身丈Ｌｂとの寸法比について、股上丈Ｌａが１００に対して身丈Ｌｂが５０〜８０としたボクサー型でないショーツである。このショーツ１０Ｃは、股上丈に比べ身丈の寸法が短いのでコンパクトとなる。すなわち、ショーツ１０Ｃは、前身頃１１と、後身頃１２と、前身頃１１と後身頃１２との間に位置するクロッチ部１３と、前身頃１１の上縁部と後身頃１２の上縁部とで形成された腰天回り部１４と、前身頃１１と後身頃１２の下方に形成される一対の脚開口部１５と、クロッチ部１３の内側に生理用ナプキンを装着するナプキン装着布１６（図８に示す）と、を有し、腰天回り部１４近傍に前身頃１１と後身頃１２に亘ってウエストホールド部１７が設けられ、後身頃１２の中央領域にはクロッチ部１３からウエストホールド部１７に向かって微伸縮部１８が設けられ、ウエストホールド部１７を除いた微伸縮部１８から前身頃１１全域に亘って良伸縮部１９が設けられ前身頃１１のほぼ中心線上で縫い合わされている。また、前身頃１１の中央領域には、良伸縮部１９の外側で、クロッチ部１３、ウエストホールド部１７、良伸縮部１９に縫合された固定部２０が設けられ、クロッチ部１３の中央領域には微伸縮部１８から固定部２０に向かってナプキン引き上げ部２１が設けられている。また、前身頃１１と後身頃１２の上端部の腰天回り部１４にウエストバンド２２が設けられ、脚開口部１５にレッグバンド２３が設けられている。尚、ショーツ１０Ｃには、図１３および図１４に示した防水布２６をショーツ１０Ｃの内側部分において、後身頃１２のほぼ中央領域に設けてもよい。
【０１０７】
次に、本発明の第４の実施形態について図１６、図１７を参照して説明する。図１６は第４の実施形態に係るショーツの立体形状となったものを示す斜視図で、（ａ）は前身頃側から示す斜視図、（ｂ）は後身頃側から示す斜視図である。図１７は第４の実施形態のショーツに設けられた表示の拡大図である。尚、以下の実施形態では第１の実施形態と同一の構成要素には同一符号を付して、その重複する説明を省略する。
【０１０８】
図１６に示す第４の実施形態のショーツ１０Ｄは、第１の実施形態のショーツ１０において、後身頃１２のほぼ中央領域に設けられた微伸縮部１８の延長線上の上方で、腰天回り部１４の近傍のショーツ１０Ｄの内側に表示２７が設けられたものである。この表示２７は図１７に示すような内容が記載されたタグであって、このタグがショーツ１０Ｄの上記した位置に縫い合わされている。
【０１０９】
これによって、生理用ナプキンをショーツ１０Ｄのナプキン装着布１６（図示せず）に粘着剤等を介して装着し、そのショーツ１０Ｄを身体の所定の位置に引っ張り上げて着用する際に、ショーツ１０Ｄの脇上部をつかんで引っ張り上げた後、生理用ナプキンのより高い密着性を望む着用者は、この表示２７のタグ部分を持って更に引っ張り上げることにより自分の好みの密着性を得ることができることになる。
【０１１０】
尚、この表示２７は、本実施形態では着用方法を記載したタグを縫い合わせて設けたが、これに限らず印刷や糸による刺繍などにより明示されたものであっても良い。更に、洗濯ネームなどと一緒に記載されたものであっても良い。また、表示２７を設ける位置についてもこれに限らず、着用の方法の記載内容等により適宜決めればよい。また、ショーツ１０Ｄの表側に設けてもよい。また、表示の内容もこれに限定されるものでない。
【０１１１】
以上のように本発明に係るショーツに関して、例を示す図面を参照しつつ具体的に説明したが、本発明はもとより図示例に限定される訳ではなく、前述の趣旨に適合し得る範囲で適当に変更を加えて実施することも可能であり、それらはいずれも本発明の技術的範囲に包含される。
【０１１２】
【発明の効果】
以上説明したように、本発明に係るショーツは、夜用の厚型の生理用ナプキンを股間部やお尻の溝にフィットさせ易いと共に、位置ずれを防止することができ、しかも股間部への食い込みを軽減でき、ガードルのように全体的に締め付けることもなく穿きごこちがよい。すなわち、微伸縮部とナプキン引き上げ部が夜用の生理用ナプキンを膣口からお尻にかけて中央部を持ち上げて身体に密着させるため、伝い漏れの原因である隙間を無くし、どんな格好で過ごしても生理用ナプキンをしっかりフィットさせる。これによりお尻の谷間を伝って漏れる原因を解消し、どんな格好でも安心して眠れるので、朝すっきりと目覚めることが出来る。また、経血の広がりが少ないので、肌に経血が付着する面積が狭くなり、肌への刺激が少なくなるためカブレなどを防止する事ができる。
【０１１３】
また、微伸縮部以外の周辺部の良伸縮部やナプキン引き上げ部以外の周辺部の股下布は、伸縮性、通気性の富んだ生地で構成されているため、よけいな締め付け感がないため、締め付けによるむくれや血行不良などを生じさせることが無いので、身体にストレスを与えず、長時間着用していても締め付け感が生じない。
【０１１４】
また、お腹部分（前身頃）は、パワーネットで構成された固定部によっておさえられているので、ショーツがズレ下がるのを防止して生理用ナプキンをしっかり固定する。
【図面の簡単な説明】
【図１】身体に装着していない本発明のショーツの第１の実施形態を前身頃と後身頃とが接するように２つ折りした状態を示す正面図である。
【図２】２つ折りした状態を示す背面図である。
【図３】第１の実施形態の装着状態を前身頃側から示す斜視図である。
【図４】第１の実施形態の装着状態を後身頃側から示す斜視図である。
【図５】図２の実施形態のショーツの微伸縮部を拡大した拡大平面図である。
【図６】クロッチ部を底面側から見た部分平面図である。
【図７】図６においてナプキン引き上げ部の別形態を示す部分平面図である。
【図８】クロッチ部を内側から示す部分斜視図である。
【図９】クロッチ部の部分側面図である。
【図１０】本発明のショーツ着用時の微伸張部、ナプキン引き上げ部および固定部の挙動を説明するための説明図である。
【図１１】本発明のショーツ着用時の膣口付近のショーツの挙動を説明するための説明図である。
【図１２】微伸縮部についての伸張率と引張強度の関係を示す図である。
【図１３】第２の実施形態に係るショーツを裏返しにして前身頃と後身頃とが接するように２つ折りした状態を示す背面図である。
【図１４】図１３に示す第２の実施形態の別の形態を示す背面図である。
【図１５】身体に装着していない本発明のショーツの第３の実施形態を前身頃と後身頃とが接するように２つ折りした状態を示す図で、（ａ）は２つ折りした状態を示す正面図、（ｂ）は２つ折りした状態を示す背面図である。
【図１６】第４の実施形態に係るショーツの立体形状となったものを示す図で、（ａ）は前身頃側から示す斜視図、（ｂ）は後身頃側から示す斜視図である。
【図１７】第４の実施形態に係るショーツに設けられた表示の拡大図である。
【符号の説明】
１０，１０Ａ，１０Ｂ，１０Ｃ，１０Ｄ  ショーツ
１１  前身頃
１２  後身頃
１３  クロッチ部
１４  腰天回り部
１５  脚開口部
１６  ナプキン装着布
１７  ウエストホールド部
１８  微伸縮部
１９  良伸縮部
２０  固定部
２１  ナプキン引き上げ部
２２  ウエストバンド
２３  レッグバンド
２４  股下布
２５  生理用ナプキン
２６  防水布
２７  表示
【図１】
2004254860.tif 000004
【図２】
2004254860.tif 000005
【図３】
2004254860.tif 000006
【図４】
2004254860.tif 000007
【図５】
2004254860.tif 000008
【図６】
2004254860.tif 000009
【図７】
2004254860.tif 000010
【図８】
2004254860.tif 000011
【図９】
2004254860.tif 000012
【図１０】
2004254860.tif 000013
【図１１】
2004254860.tif 000014
【図１２】
2004254860.tif 000015
【図１３】
2004254860.tif 000016
【図１４】
2004254860.tif 000017
【図１５】
2004254860.tif 000018
【図１６】
2004254860.tif 000019
【図１７】
2004254860.tif 000020